(57)【要約】【課題】  原稿置き忘れを防止するために、印字出力後に原稿が残っている場合は置き忘れ警告表示を行うものがある。しかしそのような構成の場合、原稿のありなしを検知するためのセンサーが必要となる。センサーが設置されていない原稿読取装置において、原稿置き忘れ防止をおこなうことを目的とする。【解決手段】  全ての画像データの読取が終了した後、読み取り終了後の原稿を回収するようユーザーに通知する通知手段と、前記通知を受けて、ユーザーが原稿を回収したことを入力するための入力手段と、前記入力を受けて、印刷出力を開始するための制御手段とを有する画像形成装置。【選択図】  図７
2006174107.tif 000002
【特許請求の範囲】
【請求項１】
原稿画像を読み取る画像読取手段と、読み取った画像データを格納する画像データ格納手段と、
前記画像データ格納手段に格納されている画像イメージのデータを印刷出力するための画像出力手段と、
前記画像読取手段により全ての画像データの読取が終了した後、読み取り終了後の原稿を回収するようユーザーに通知する通知手段と、
前記通知を受けて、ユーザーが原稿を回収したことを入力するための入力手段と、
前記入力を受けて、印刷出力を開始するための制御手段と
を有することを特徴とする画像形成装置。
【請求項２】
前記画像形成装置において、読取が終了した画像データを画像データ格納手段に格納後に指示無しで印刷出力をおこなうか、ユーザーが原稿を回収したことの入力を受けて印刷出力を開始するか、を選択できる判断制御手段をさらに有することを特徴とする請求項１記載の画像形成装置。
【請求項３】
前記判断制御手段の結果を記憶する記憶手段をさらに有することを特徴とする請求項２記載の画像形成装置。
【発明の詳細な説明】
【技術分野】
【０００１】
本発明は、原稿読取装置と印刷装置を有する画像形成装置に関するものである。
【背景技術】
【０００２】
原稿を複写する複写機など画像形成装置において、原稿の読取を行った後、圧版読み取りの時には読取装置の上に、連続原稿読取装置で読み取った時は連続原稿読取装置の原稿排出部に読取終了した原稿を放置してしまうことがある。特に重要な原稿、機密性の高い原稿の時,置き忘れの問題は重要である。
【０００３】
従来、原稿の置き忘れの防止策を行うものとしては、原稿読み取り終了後、そのまま印刷を行い、印刷中に画像読み取り部に原稿が残っている場合は置き忘れ警告表示をおこなう。そのまま印刷を続け、プリント終了後にまだ原稿が残っている場合は再度置き忘れの警告表示を行うものがあった（例えば、特許文献１参照。）。
【特許文献１】特開２００４−１１２４２９号公報
【発明の開示】
【発明が解決しようとする課題】
【０００４】
しかしながら、上述した従来の技術では、原稿の置き忘れがあっても印刷をしてしまうため、置き忘れ防止対策としては不充分であった。
【課題を解決するための手段】
【０００５】
上述した課題を解決するために、本発明は、原稿画像を読み取る画像読取手段と、読み取った画像データを格納する画像データ格納手段と、前記画像データ格納手段に格納されている画像イメージのデータを印刷出力するための画像出力手段と、前記画像読取手段により全ての画像データの読取が終了した後、読み取り終了後の原稿を回収するようユーザーに通知する通知手段と、前記通知を受けて、ユーザーが原稿を回収したことを入力するための入力手段と、前記入力を受けて、印刷出力を開始するための制御手段とを有することを特徴とする。
【０００６】
また本発明によればユーザーは画像読取手段より読み取り格納終了した画像データを、指示無しで印刷出力をおこなうか、ユーザーの原稿回収したことを入力する入力手段を受けるまで格納しておき前記入力を受けて印刷出力を開始するかを選択することのできる判断制御手段を持ち、前記判断制御手段の結果を記憶しておくことのできる記憶手段をもつことを特徴とする。
【発明の効果】
【０００７】
本発明により、画像形成装置において、原稿を一度読み取った後、原稿を回収し確認をおこなうまでは印刷が行われない。利用者に元原稿を回収させた後、初めて原稿の印刷処理を開始することにより重要/機密性の高い原稿の取り忘れが確実に減少する。
【発明を実施するための最良の形態】
【０００８】
以下に、本発明を実施するための最良の形態について図面を参照して説明をする。
【０００９】
〔第１実施形態〕
図１は、複写機１００１の主要部の構成を示すブロック図である。
【００１０】
複写機１００１はコントローラユニット２０００を含み、コントローラユニット２０００には、画像入力デバイスであるスキャナ２０７０や画像出力デバイスであるプリンタ２０９５が接続されるとともに、操作部２０１２が接続される。コントローラユニット２０００は、スキャナ２０７０で読み取られた画像データをプリンタ２０９５により印刷出力するコピー機能を実現するための制御を行うとともに、ＬＡＮ１００６や公衆回線１００８（ＷＡＮ）に接続することによって、画像情報やデバイス情報の入出力を行うための制御を行う。
【００１１】
コントローラユニット２０００は、具体的には、ＣＰＵ２００１を有し、ＣＰＵ２００１は、ＲＯＭ２００３に格納されているブートプログラムによりオペレーションシステム（ＯＳ）を立ち上げ、このＯＳ上で、ＨＤＤ（ハードディスクドライブ）２００４に格納されているアプリケーションプログラムを実行し、これによって各種処理を実行する。このＣＰＵ２００１の作業領域としてはＲＡＭ２００２が用いられる。ＲＡＭ２００２は、作業領域を提供するとともに、画像データを一時記憶するための画像メモリ領域を提供する。ＨＤＤ２００４は、上記アプリケーションプログラムや画像データを格納する。
【００１２】
ＣＰＵ２００１には、システムバス２００７を介して、ＲＯＭ２００３およびＲＡＭ２００２とともに、操作部Ｉ／Ｆ（操作部インタフェース）２００６、ネットワークＩ／Ｆ（ネットワークインタフェース）２０１０、モデム２０５０およびイメージバスＩ／Ｆ（イメージバスインタフェース）２００５が接続される。
【００１３】
操作部Ｉ／Ｆ２００６は、タッチパネルを有する操作部２０１２とのインタフェースであり、操作部２０１２に表示すべき画像データを操作部２０１２に対して出力する。また、操作部Ｉ／Ｆ２００６は、操作部２０１２においてユーザーにより入力された情報をＣＰＵ２００１に送出する。
【００１４】
次に、ネットワークＩ／Ｆ２０１０は、ＬＡＮ１００６に接続され、ＬＡＮ１００６を介してＬＡＮ１００６上の各装置との間で情報の入出力を行う。モデム２０５０は、公衆回線１００８に接続され、公衆回線１００８を介して情報の入出力を行う。
【００１５】
イメージバスＩ／Ｆ２００５は、システムバス２００７と、画像データを高速で転送する画像バス２００８とを接続し、データ形式を変換するためのバスブリッジである。画像バス２００８は、ＰＣＩバスまたはＩＥＥＥ１３９４から構成される。画像バス２００８上には、ラスタイメージプロセッサ（以下、「ＲＩＰ」という）２０６０、デバイスＩ／Ｆ２０２０、スキャナ画像処理部２０８０、プリンタ画像処理部２０９０、画像回転部２０３０、および画像圧縮部２０４０が設けられる。
【００１６】
ＲＩＰ２０６０は、ＰＤＬコードをビットマップイメージに展開するプロセッサである。デバイスＩ／Ｆ２０２０には、スキャナ２０７０およびプリンタ２０９５が接続され、デバイスＩ／Ｆ２０２０は、画像データの同期系／非同期系の変換を行う。スキャナ画像処理部２０８０は、入力画像データに対し補正、加工、編集を行う。プリンタ画像処理部２０９０は、プリント出力画像データに対してプリンタ２０９５に応じた補正、解像度変換などを行う。画像回転部２０３０は、画像データの回転を行う。画像圧縮部２０４０は、多値画像データをＪＰＥＧデータに、２値画像データをＪＢＩＧ、ＭＭＲ、ＭＨなどのデータに圧縮するとともに、その伸張処理を行う。
【００１７】
次に、スキャナ２０７０およびプリンタ２０９５のハードウェア構成について図２を参照して説明する。
【００１８】
図２は、図１に示すスキャナ２０７０およびプリンタ２０９５のハードウェア構成を示す側断面図である。
【００１９】
スキャナ２０７０とプリンタ２０９５とは、図２に示すように、一体的に構成されている。スキャナ２０７０は、原稿給紙ユニット２５０を搭載し、原稿給紙ユニット２５０は、原稿を先頭から順に１枚ずつプラテンガラス２１１上へ給送し、各原稿の読取動作が終了する毎に、その原稿をプラテンガラス２１１から排出トレイ（図示せず）に排出する。スキャナ２０７０は、原稿がプラテンガラス２１１上に給送されると、ランプ２１２を点灯し、移動ユニット２１３の移動を開始する。この移動ユニット２１３の移動によりプラテンガラス２１１上の原稿に対する読取走査が行われる。この読取走査中、原稿からの反射光は、各ミラー２１４，２１５，２１６およびレンズ２１７を経てＣＣＤイメージセンサ（以下、「ＣＣＤ」という）２１８に導かれ、原稿上の画像がＣＣＤ２１８の撮像面上に結像される。ＣＣＤ２１８は、撮像面に結像された画像を電気信号に変換し、この電気信号が所定の処理施された後に制御装置（図示せず）に入力される。
【００２０】
プリンタ２０９５は、レーザドライバ３２１を有し、レーザドライバ３２１は、制御装置から入力された画像データに基づきレーザ発光部３２２を駆動する。これにより、レーザ発光部３２２からは画像データに応じたレーザ光が発光され、このレーザ光は走査されながら感光ドラム３２３上に照射される。感光ドラム３２３上には、照射されたレーザ光により静電潜像が形成され、この静電潜像は現像器３２４から供給されたトナーによりトナー像として可視像化される。レーザ光の照射タイミングに同期して、各カセット３１１，３１２から記録紙が搬送路を介して感光ドラム３２３と転写部３２５との間に給紙され、感光ドラム３２３上のトナー像は転写部３２５により給紙された記録紙上に転写される。
【００２１】
トナー像が転写された記録紙は、搬送ベルトを介して定着ローラ対（加熱ローラと加圧ローラ）３２６に送られ、定着ローラ対３２６は、記録紙を熱圧し、記録紙上のトナー像を記録紙上に定着させる。この定着ローラ対３２６を通過した記録紙は、排紙ローラ対３２７により排紙ユニット３３０に排紙される。排紙ユニット３３０は、ソート、ステイプルなどの後処理を施すことが可能なシート処理装置からなる。
【００２２】
また、両面記録モードが設定されている場合には、記録紙を排紙ローラ対３２７まで搬送した後に、排紙ローラ対３２７の回転方向を逆転させ、フラッパ３２８によって再給紙搬送路３３９へ導く。再給紙搬送路３３９に導かれた記録紙は、上述したタイミングで感光ドラム３２３と転写部３２５との間に再給紙され、この記録紙の裏面にトナー像が転写される。
【００２３】
図３は、図１に示す操作部２０１２の構成を示す平面図である。
【００２４】
ＬＣＤ表示部２０１３は、ＬＣＤ上にタッチパネルシートが貼られた構造となっており、複写機１００１の操作画面を表示するとともに、該画面に表示されたキーが押されるとその位置情報をコントローラユニット２０００のＣＰＵ２００１に伝える。スタートキー２０１４は、原稿画像の読み取り動作を開始する時などに用いられる。スタートキー２０１４の中央部には、緑と赤の２色ＬＥＤ２０１８が設けられ、その色によってスタートキー２０１４が使える状態にあるか否かを示す。ストップキー２０１５は、稼働中の動作を止めるときに操作される。ＩＤキー２０１６は、使用者のユーザーＩＤを入力する時に用いられる。リセットキー２０１７は、操作部２０１２からの設定を初期化する時に用いられる。
【００２５】
図４は、操作部２０１２上に表示される操作画面の一例を示す図である。
【００２６】
操作部２０１２の操作画面の上部には、タッチキーからなり、各種の機能を選択するためのコピータブ９０１、送信／ＦＡＸタブ９０２、ボックスタブ９０３、ブラウザタブ９０４、右矢印タブ９０５が表示される。
【００２７】
図４は、コピータブ９０１のタッチキーが押下されたときのコピー機能の初期画面を表している。コピー機能に関する表示は領域９０６で行なわれ、領域９０６の上から、「コピーできます」が表示されている領域には、コピー機能で表示すべきステータスを表示し、その下の領域には、倍率、選択給紙段、置数を表示する。また、コピー機能の動作モードを設定するためのタッチキーとして、等倍、倍率、用紙選択、ソータ、両面、割込み、文字、濃度調整用としての薄くするに対応する左矢印キー、濃くするに対応する右矢印キー、濃度を自動調整する自動キーが表示され、また、初期画面に表示しきれない動作モードの指定画面は、応用モードキーを押下することで、階層的に領域９０６内に表示されるようになっている。
【００２８】
また、表示領域９０７は、複写機１００１のステータスを表示する領域であり、例えば、ジャムなどのアラームメッセージや、ＰＤＬプリントが行われているときにＰＤＬプリント中であることを示すステータスメッセージを表示する領域である。表示領域９０７にはシステム状況／中止タッチキー９０８が表示され、該システム状況／中止タッチキー９０８を押下すると、複写機１００１のデバイス情報を表示する画面や、プリントジョブ状況を表示する画面（図示せず）を表示し、この画面ではジョブの中止を行うことが可能になる。
【００２９】
送信／ＦＡＸタブ９０２を押下すると、複写機１００１で読み取った画像をＬＡＮ１００６上の機器にＥ−メール送信またはＦＴＰ送信したり、また公衆回線１００８を使ってファクシミリ送信したりするための設定画面（図示せず）を表示する。
【００３０】
ボックスタブ９０３を押下すると、複写機１００１上で読み取った画像をＨＤＤ２００４内のボックス領域に保存したり、ボックス領域に保存されている画像データを指定して印刷したり、ＬＡＮ１００６上の機器に送信したりするための設定画面（図示せず）を表示する。
【００３１】
また、５つ以上の機能がコントローラユニット２０００に装備されている場合は、コピー、送信／ＦＡＸ、ボックス、ブラウザの４つ機能タブ９０１〜９０４の右横に右矢印キー９０５が表示され、右矢印キー９０５が押下されると、別の機能のための画面が表示されるようになっている。
【００３２】
図５は、図１に示すスキャナ２０７０の形態の一部であり、原稿読取部に直接原稿をセットし画像を読み込む形式の画像読み込み装置を説明したものである。
【００３３】
図7は図５の画像読取装置を使用した際の読み取り時のフローチャートである。
【００３４】
図５の原稿読み取り機能(６０３)に原稿をセットし、原稿押さえ(６０１)をおろして原稿を固定し、図３のスタートキー(２０１４)を押下する。
【００３５】
これによりコピー開始（S１００１）となり、原稿読み取り（S１００２）の実行を行う。読み取った原稿の画像イメージは機器内部に画像データで格納される。
【００３６】
本体に格納保存してある原稿忘れ警告を行うかどうかの機能（S１００３）を判断し、実行する判断であれば機器は原稿を読み取って格納した後に、ユーザーに対し、図４の表示手段に対し、［原稿を回収してください］のメッセージ（S１００４）を表示し、ユーザーの指示待ち状態に入る。
【００３７】
ユーザーはこの告知の後に、原稿読取部に置かれた原稿の回収を行う。（S１００５）その後、指示入力装置に対し「原稿回収確認・印刷開始」の指示を行う。（S１００６）
指示をうけると格納された画像データを画像形成装置に送り印字を開始する。（S１００７）
その後、原稿の入れ替えを行い、再度同様な操作を繰り返す場合は、（S１００２）に戻る。
【００３８】
〔第２実施形態〕
図６は、図１に示すスキャナ２０７０の形態の一部であり、自動的に複数の原稿の読取を行う自動原稿読取装置を説明したものである。
【００３９】
図７は図６の連続画像読取装置を使用した際の読み取り時のフローチャートである。
【００４０】
図６の原稿挿入口(８０１)に原稿をセットし、図３のスタートキー(２０１４)を押下する。
【００４１】
これによりコピー開始（S１２０１）となり、原稿は連続的に読み込まれ、原稿読み取り（S１２０２）の実行を行う。読み取った原稿の画像イメージは機器内部に画像データで格納される。読み取った原稿は読取済み原稿排出部（８０３）に蓄えられる。
【００４２】
本体に記憶保存してある原稿忘れ警告を行うかどうかの機能（S１２０３）を判断し、実行する判断であれば機器は全ての原稿を読み取り格納した後に、ユーザーに対し、図４の表示手段に対し、［原稿を回収してください］のメッセージ（S１２０４）を表示し、ユーザーの指示待ち状態に入る。
【００４３】
ユーザーはこの告知の後に、読取済み原稿排出部に置かれた原稿の回収を行う。（S１２０５）、その後、指示入力装置に対し「原稿回収確認・印刷開始」の指示を行う。（S１２０６）
指示をうけると格納された画像データを画像形成装置に送り印字を開始する。（S１２０８）
格納された全ての画像データの印刷が終了したらコピー処理は終了する。
【図面の簡単な説明】
【００４４】
【図１】複写機の主要部の構成を示すブロック図である。
【図２】図１に示すスキャナおよびプリンタのハードウェア構成を示す側断面図である。
【図３】図１に示す操作部の構成を示す平面図である。
【図４】操作部上に表示される操作画面の一例を示す図である。
【図５】第１実施形態で示した形態をもつスキャナ部を示す図である。
【図６】第２実施形態で示した形態をもつスキャナ部を示す図である。
【図７】図５で示したスキャナを用いての実施形態における一連の処理手順を示すフローチャート図である。
【図８】図６で示したスキャナを用いての実施形態における一連の処理手順を示すフローチャート図である。
【符号の説明】
【００４５】
１００１  複写機（複合機能装置）
１００２  複写機
１００３  ファクシミリ装置
１００４  データベース／メールサーバ
１００５  クライアントコンピュータ
１００６  ＬＡＮ（ネットワーク）
１００７  ファクシミリ装置
１００８  公衆回線
２０００  コントローラユニット（オートクリア手段、判断手段、制御手段）
２０１２  操作部（操作画面、表示入力手段）
２０７０  スキャナ
２０９５  プリンタ
【図１】
2006174107.tif 000003
【図２】
2006174107.tif 000004
【図３】
2006174107.tif 000005
【図４】
2006174107.tif 000006
【図５】
2006174107.tif 000007
【図６】
2006174107.tif 000008
【図７】
2006174107.tif 000009
【図８】
2006174107.tif 000010